(57)【要約】【課題】利用者に絵馬との一体感を持たせる。【解決手段】絵馬２は、中心に円孔４が穿設された円形の本体３と、この円孔４に合致した形状を有しこの円孔４に嵌め入れ可能な多種のキャラクター片５Ａ、５Ｂ…５Ｎとを備えて構成される。本体３は、絵馬として未完成で、キャラクター片５Ａ〜５Ｎのうちいずれか一つが円孔４に嵌め入れられて、絵馬２が完成するようになっている。キャラクター片５Ａ〜５Ｎは多種多様のキャラクターデザインが描かれたり、アクセサリーが取り付けられたりしており、利用者は、これら多数のキャラクター片５Ａ〜５Ｎから好みのものを選択して本体３の円孔４に嵌め入れ、絵馬２を完成させるようになっている。このため、完成された絵馬２に利用者の好みが反映される。【選択図】　　　　図１
2004121483.tif 000002
【特許請求の範囲】
【請求項１】
欠落部を有する未完成の本体と、この欠落部の形状にほぼ対応し嵌め入れ可能な多種の装着片とを備え、これら多種の装着片のうち所望の装着片を選択して、本体の欠落部に嵌め入れて完成させることを特徴とする絵馬。
【請求項２】
貫通孔が穿設された本体と、この貫通孔の形状にほぼ合致するかまたはこの形状より若干縮小された寸法の多種の祈願片とを備え、これら多種の祈願片のうち所望の祈願片を選択して、本体の貫通孔に貫通させ祈願成就の儀式を行うことを特徴とする絵馬。
【発明の詳細な説明】
【０００１】
【産業上の利用分野】
本発明は、絵馬に関するものである。
【０００２】
【従来の技術】
一般に、絵馬は、馬の絵が描かれた額に祈願や報謝の言葉を書き入れ社寺に奉納するようになっている。従来、絵馬の余白に祈願や報謝の言葉とともに名前を書き添えて奉納するようにしているが、祈願や報謝の気持ちを忘れ難くするためその一部を持ち帰ることができるようにした絵馬が提案されている（例えば、特許文献１参照。）。
【０００３】
【特許文献１】
特許第２７４７８８５号公報（第２頁、図１）
【０００４】
【発明が解決しようとする課題】
上記従来の絵馬では、絵馬本体から分離した分離片を奉納の記念やお守りとして持ち帰ることができるものの、コストの面から多種の絵馬を展示販売することは難しく、絵馬自体はせいぜい数種類のうちから利用者の好みに応じて選ぶようになっている。このため、お仕着せの絵馬を選ばざるを得ず、奉納する絵馬に利用者の個性やオリジナリティを反映させにくく、利用者には奉納する絵馬との一体感に欠けるきらいがあった。
【０００５】
本発明は上記欠点を除くためになされたもので、簡素な構成で、奉納時、利用者が一体感を得ることができる絵馬を提供するものである。
【０００６】
【課題を解決するための手段】
本発明の第１の発明に係る絵馬は、欠落部を有する未完成の本体と、この欠落部の形状にほぼ対応し嵌め入れ可能な多種の装着片とを備え、これら多種の装着片のうち所望の装着片を選択して、本体の欠落部に嵌め入れて完成させるようにしたものである。
【０００７】
本発明の第１の発明に係る絵馬では、欠落部を有する未完成の本体と、この欠落部の形状にほぼ対応し嵌め入れ可能な多種の装着片とを備え、これら多種の装着片のうち所望の装着片を選択して、本体の欠落部に嵌め入れて完成させるようにしたので、未完成の絵馬本体に対し、多種の装着片中から利用者の好みに合った装着片を選択し、それを未完成の絵馬本体に嵌め入れて完成させると、絵馬に記された祈願や報謝の念に利用者の個性を加えて奉納することになり、絵馬に対する一体感を持つことができ、祈願や報謝の気持ちが強められる。
【０００８】
本発明の第２の発明に係る絵馬は、貫通孔が穿設された本体と、この貫通孔の形状にほぼ合致するかまたはこの形状より若干縮小された寸法の多種の祈願片とを備え、これら多種の祈願片のうち所望の祈願片を選択して、本体の貫通孔に貫通させ祈願成就の儀式を行うようにしたものである。
【０００９】
本発明の第２の発明に係る絵馬は、貫通孔が穿設された本体と、この貫通孔の形状にほぼ合致するかまたはこの形状より若干縮小された寸法の多種の祈願片とを備え、これら多種の祈願片のうち所望の祈願片を選択して、本体の貫通孔に貫通させ祈願成就の儀式を行うようにしたので、祈願片に記された祈願や報謝の念に利用者の個性を加えて奉納することになり、絵馬に対する一体感を持つことができ、祈願や報謝の気持ちが強められるとともに、祈願片を持ち帰り身近に置くことにより、祈願や報謝の念を絵馬奉納後も持ち続けられる。
【００１０】
【発明の実施の形態】
以下図面に示す実施例により本発明を説明する。図１の（Ａ）、（Ｂ）はそれぞれ本発明の第１の発明の一実施の形態に係る絵馬の正面図および縦断面である。この実施の形態に係る絵馬２は、図１の（Ａ）に示すように、中心に円孔（欠落部）４が穿設された円形の本体３と、この円孔４に合致した形状を有しこの円孔４に嵌め入れ可能な多種のキャラクター片（装着片）５Ａ、５Ｂ…５Ｎとを備えて構成される。本体３は、絵馬として未完成で、キャラクター片５Ａ〜５Ｎのうちいずれか一つが円孔４に嵌め入れられて、絵馬２が完成するようになっている。キャラクター片５Ａ〜５Ｎは多種多様のキャラクターデザインが描かれたり、キャラクターグッズやアクセサリーが取り付けられたりしており、利用者は、これら多数のキャラクター片５Ａ〜５Ｎから好みのものを選択して本体３の円孔４に嵌め入れ、絵馬２を完成させるようになっている。このため、完成された絵馬２に利用者の好みが反映され、一体感を持てるようになっている。
【００１１】
次に、上記実施の形態に係る絵馬２の作用について説明する。この絵馬２では、まず利用者が未完成の本体３を選択した後、この未完成の本体３に対し、多種多数のキャラクター片５Ａ〜５Ｎから利用者の好みに合ったものを１つ選択し、それを未完成の本体３に嵌め入れると、絵馬２が完成される。こうして、絵馬には、利用者の個性が加えられて完成することになるので、絵馬の奉納にあたり、絵馬に対する一体感を持つことができ、祈願や報謝の気持ちが強められる。また、本体３自体の種類は少なくとも、キャラクター片５Ａ〜５Ｎの種類を増やすことにより、完成した絵馬２は多様な種類となるので、コストを抑えて多種の絵馬を提供することができる。
【００１２】
なお、絵馬２は、本体３にキャラクター片５Ａ〜５Ｎを嵌め込み完成させて奉納してもよいし、奉納時、未完成の本体２に祈願の言葉を記して奉納し、後日祈願が成就した後、キャラクター片５Ａ〜５Ｎを報謝の念とともに嵌め入れ完成させるようにしてもよい。円孔４は本体３に欠落部として形成されているが、円孔形状に限られるものではなく、一端が開口し両側に差し込み溝が形成されたスリットでもよいし、本体の表面に絵馬のデザインの一部を覆い隠すように板状のキャラクター札が差し入れられるようにしてもよい。
【００１３】
図２の（Ａ）は、上記キャラクター片５Ａ〜５Ｎの一変形例に係るもので、図２の（Ａ）に示すものは、キャラクター片６Ａ〜６Ｎの表面にアクセサリー７Ａ〜７Ｎを取り付けるようにしている。図２の（Ｂ）に示すものは、上記実施の形態に係る絵馬２の変形例に係るもので、円孔４に嵌め入れたキャラクター片８Ａ〜８Ｎを、円孔４上に張り付けられたシール９で隠すようにしている。
【００１４】
図３の（Ａ）および（Ｂ）はそれぞれ、上記実施の形態に係る絵馬２のキャラクター片の他の変形例と、この他の変形例に係るキャラクター片が嵌め入れられた絵馬１２を示すもので、この絵馬１２は、未完成の本体３の円孔４に嵌め入れられるキャラクター片１５Ａ〜１５Ｃを、図３の（Ａ）に示すように、非円形の多様な形状（例えば、正方形形状１５Ａ、三角形状１５Ｂ、ハート型形状１５Ｃ）に成型し、外周の一部が円孔４の内周面に当接して嵌め入れられるようになっている。このため、キャラクター片１５Ａ〜１５Ｃを多種の形状で形成することができるので、意匠上の多様性を増大させ、個人の好みをより反映させやすくなる。
【００１５】
図４の（Ａ）および（Ｂ）はそれぞれ、上記実施の形態に係る絵馬２のキャラクター片（装着片）５Ａ〜５Ｎの別の変形例を示すもので、この絵馬２２は、未完成の本体３の円孔４に嵌め入れられる装着片２５を、図４の（Ｂ）に示すように、内部に収容空間２６が確保され蓋２７により開閉可能な透明の合成樹脂製円筒状カプセルから構成している。使用する際には、このカプセル２５の内部に、利用者の好みのキャラクターグッズ２８を収納して、カプセル２５を円孔４に嵌め入れ、絵馬２２を完成させるようにしている。このため、キャラクターグッズ２８には、制約がなくより個人の好みをより反映させやすくなる。
【００１６】
なお、上記実施の形態に係るキャラクター片５Ａ〜５Ｎは、十二支の獣にちなんだ造形物、打ち出の小槌や招き猫のような縁起物、いちごや、五円玉のような縁を結ぶ対象物として用いられるもの、神社仏閣の紋を刻んだり印刷したり、立体的な造形としたもの、野球、ラグビー、サッカー、ゴルフボールなどの球技に用いられるボールに造形したもの、文房具、万年筆、鉛筆、筆、電卓、コンピュータ等に造形したものでもよい。これらキャラクター片は中実であってもよいし、内部が空洞になっていてもよい。またこれらキャラクター片に穴を開け紐を通して使用するようにしてもよい。さらに、他の変形例に係るキャラクター片１５Ａ、１５Ｂ、１５Ｃは多角形としてもよい。また、別の変形例に係る装着片２５では、透明な樹脂から成型されたカプセルから構成するようにしているがこれに限られるものではなく、多数の穴の空いた容器から構成し、この容器の中に願い事を書いた紙片や札を入れるようにしてもよい。さらに、絵馬の本体または装着片のすくなくともいずれか一方を、石、陶器、ミネラル成分を放出できる石や陶器、金属、ガラス、木、合成樹脂、紙により構成してもよい。また、絵馬を板状のものに代えて、内部にキャラクターグッズや願い事を書いた紙片や札を出し入れ可能な収容空間を有する立体的な構造としてもよい。その場合、本体と蓋とで構成してもよく、本体を賽子形状としてもよい。さらに、立体的な絵馬に穴を開け、笛として用いるようにしてもよい。
【００１７】
さらに、上記実施の形態および各変形例に係る絵馬２、１２、２２では、キャラクター片５Ａ〜５Ｎ、キャラクター片１５Ａ〜１５Ｃ、カプセル（装着片）２５を、多種の中から選択して本体３に嵌め入れるようにしているが、これに限られるものではなく、円孔４を貫通孔として形成し、キャラクター片（祈願片）やカプセル（祈願片）（図示せず）を円孔とほぼ合致するかまたは若干縮小して形成し、これら多種の祈願片のうち所望の祈願片を選択して、本体３の貫通孔４に貫通させ祈願成就の儀式を行うようにしてもよい（本発明の第２の発明に相当する。）。このように、多種の祈願片のうちから利用者に合ったものを選択するようにしているので、祈願片に記された祈願や報謝の念に利用者の個性を加えて奉納することになり、絵馬に対する一体感を持つことができ、祈願や報謝の気持ちが強められるとともに、祈願片を持ち帰り身近に置くことにより、祈願や報謝の念を絵馬奉納後も持ち続けられる。なお、祈願片は、祈願や報謝を言葉に書いた紙片でもよいし札でもよい。この場合、貫通孔（円孔４）を通過させる行為を、祈願や報謝を気持ちを絵馬を通じて神仏に伝える擬似行為と見なすことができる。
【００１８】
【発明の効果】
以上述べたように本発明の第１の発明に係る絵馬によれば、欠落部を有する未完成の本体と、この欠落部の形状にほぼ対応し嵌め入れ可能な多種の装着片とを備え、これら多種の装着片のうち所望の装着片を選択して、本体の欠落部に嵌め入れて完成させるようにしたので、利用者の好みに合った装着片を選択して、絵馬が完成されることにより絵馬に対する一体感を持つことができ、利用者の個性やオリジナリティを発揮できるので、祈願や報謝の気持ちが強められる効果がある。
【００１９】
本発明の第２の発明に係る絵馬によれば、貫通孔が穿設された本体と、この貫通孔の形状にほぼ合致するかまたはこの形状より若干縮小された寸法の多種の祈願片とを備え、これら多種の祈願片のうち所望の祈願片を選択して、本体の貫通孔に貫通させ祈願成就の儀式を行うようにしたので、絵馬に対する一体感を持つことができ、祈願や報謝の気持ちが強められるとともに、祈願片を持ち帰り身近に置くことにより、祈願や報謝の念を絵馬奉納後も持ち続けられる効果がある。
【図面の簡単な説明】
【図１】（Ａ）、（Ｂ）はそれぞれ本発明の一実施の形態に係る絵馬を示す正面図および縦断面である。
【図２】（Ａ）、（Ｂ）はそれぞれ、図１の絵馬のキャラクター片の一変形例を示す縦断面図および図１の絵馬の変形例を示す断面図である。
【図３】（Ａ）、（Ｂ）はそれぞれ、キャラクター片の他の変形例を示す説明図およびこの他の変形例に係るキャラクター片を用いて完成させた絵馬を示す正面図である。
【図４】（Ａ）、（Ｂ）はそれぞれ、別の変形例に係るカプセルが嵌め入れられた絵馬の縦断面図およびカプセルを示す説明図である。
【符号の説明】
２　絵馬
３　本体
４　円孔（欠落部）
５Ａ〜５Ｎ　キャラクター片（装着片）
【図１】
2004121483.tif 000003
【図２】
2004121483.tif 000004
【図３】
2004121483.tif 000005
【図４】
2004121483.tif 000006